(57)【要約】      （修正有）【課題】過剰な注入圧によるセントルの変形を防止することのできるセントルに取り付けられる生コン注入装置を提供する。【解決手段】セントル１の開口部１０に、生コン注入外枠部材を固定し、該生コン注入外枠部材の内側にヒンジ３６を介して回動自在の開閉蓋体部材を配置し、該開閉蓋体部材が油圧シリンダー又はターンバックル３４の動作によって回動し、生コンを注入するセントル１の開口部１０を開閉できるように構成し、生コン注入外枠部材の生コン注入管固定プレート４１に生コン注入管５が固定され、該生コン注入管５の先端部は扁平状に形成され、扁平状生コン注入管先端部は生コンが流動し易い形状に構成し、開閉蓋体部材の蓋体プレート３２がセントル開口部１０を閉鎖すると共に、開閉蓋体部材の遮断プレート３１が、扁平状生コン注入管先端部を遮断する。【選択図】図２
0003204884.tif 000002
【実用新案登録請求の範囲】
【請求項１】
掘削した山岳トンネル及びシールドトンネルの内壁面にコンンクリートを覆工するために使用されるセントルの開口部に、生コン注入外枠部材を固定し、該生コン注入外枠部材の内側にヒンジを介して回動自在の開閉蓋体部材を配置し、該開閉蓋体部材が油圧シリンダー又はターンバックルの動作によって回動し、生コンを注入するセントルの開口部を開閉できるように構成したことを特徴とするセントルに取り付けられる生コン注入装置。
【請求項２】
生コン注入外枠部材の生コン注入管固定プレートに生コン注入管が固定され、該生コン注入管の先端部は扁平状に形成され、扁平状生コン注入管先端部は生コンが流動し易い形状に構成され、生コン注入外枠部材内に滞留する生コンの量が最小限に保持され、開閉蓋体部材の回動を容易していることを特徴とする請求項１記載のセントルに取り付けられる生コン注入装置。
【請求項３】
油圧シリンダー又はターンバックルの動作によって開閉蓋体部材を回動することによって、開閉蓋体部材の蓋体プレートがセントル開口部を閉鎖すると共に、開閉蓋体部材の遮断プレートが、扁平状の生コン注入管先端部を閉鎖するように構成されていることを特徴とする請求項１記載のセントルに取り付けられる生コン注入装置。
【考案の詳細な説明】
【技術分野】
【０００１】  本考案はセントルに取り付けられる生コン注入装置に関し、特にトンネルの内側とセントルとの空間に生コンを注入する際に、セントルの開口部を開閉自在にする開閉蓋体部材が、生コン注入外枠部材の内側で、ヒンジを介して回動自在に構成されており過剰な注入圧によるセントルの変形を防止することのできるセントルに取り付けられる生コン注入装置である。
【背景技術】
【０００２】  従来、トンネルの内側に複数のセントルを組み合わせて配置し、トンネルとセントルの間に生コンを注入し、注入した生コンが硬化して最終的にコンクリート張りのトンネルが形成されることは周知である。
【先行技術文献】
【特許文献】
【０００３】
【特許文献１】  特開平８−１７０４９５号公報
【特許文献２】  特開２００３−５６２９５公報
【考案の概要】
【考案が解決しようとする課題】
【０００４】  前記せる特開平８−１７０４９５号公報においては、セントルに固定されたガイドパイプ内で上下動する可動パイプの先端注入口よりコンクリートを打設し、トンネルの内壁面にコンクリートを覆工するものであった。【０００５】  そして図示しない油圧ジャッキにより可動パイプが降下されると、蓋体の上面がセントルの外周面と同一になるように構成されている。【０００６】  しかしながら、セントルに固定されたガイドパイプ内で、可動パイプを、図示しない油圧ジャッキ等で上下動して生コンを注入する場合、操作性が悪く作業性に問題があった。【０００７】  また、前記せる特開２００３−５６２９５公報では、ガイド管の内側で回転摺動管を回転させるために螺合ボルトの回転操作が必要であり、この操作においても作業性に問題があった。
【課題を解決するための手段】
【０００８】  本考案は以下のように構成されている。【０００９】  掘削した山岳トンネル及びシールドトンネルの内壁面にコンンクリートを覆工するために使用されるセントル１の開口部１０に、生コン注入外枠部材４０を固定し、該生コン注入外枠部材４０の内側にヒンジ３６を介して回動自在の開閉蓋体部材３０を配置し、該開閉蓋体部材３０が油圧シリンダー又はターンバックル３４の動作によって回動し、生コンを注入するセントル１の開口部１０を開閉できるように構成したことを特徴とし、生コン注入外枠部材４０の生コン注入管固定プレート４１に生コン注入管５が固定され、該生コン注入管５の先端部は扁平状に形成され、扁平状生コン注入管先端部５１は生コンが流動し易い形状に構成されていることを特徴とし、且つ、生コン注入作業を中止する際は、油圧シリンダー又はターンバックル３４の動作によって開閉蓋体部材３０を回動することによって、開閉蓋体部材３０の蓋体プレート３２がセントル１の開口部１０を閉鎖すると共に、開閉蓋体部材３０の遮断プレート３１が、扁平状生コン注入管先端部５１からの生コン注入を遮断するように構成されていることを特徴とするセントルに取り付けられる生コン注入装置を提供する。【００１０】  生コン注入外枠部材４０の容量は最小限に形成されているので、油圧シリンダー又はターンバックル３４の動作によって、開閉蓋体部材３０を押し上げて、セントル１の開口部１０を閉鎖し、開閉蓋体部材３０の遮断プレート３１が、扁平状生コン注入管先端部５１からの生コン注入を容易に遮断することができる。【００１１】  また、再度、生コン注入作業を続ける場合は、油圧シリンダー又はターンバックル３４の動作によって、開閉蓋体部材３０を容易に回動して、開閉蓋体部材３０の遮断プレート３１を開放し、生コン注入作業を続ける事ができる。
【考案の効果】
【００１２】  本考案の生コン注入装置によれば、扁平状生コン注入管先端部５１が扁平状であるので、生コンが吐出流動しやすく、注入圧調整のための注入又は非注入の切り替え時の作業性も向上している。
【図面の簡単な説明】
【００１３】
【図１】セントルの部分平面図である。
【図２】図１のＡ―Ａ線断面図である。
【図３】トンネル内側にセントルを配置した一例を示す簡略断面図
【図４】生コン注入装置外枠の斜視図である。
【図５】生コン注入装置開閉部材の斜視図である。
【考案を実施するための形態】
【００１４】  以下、考案を実施するための形態を具体的に説明する。
掘削した山岳トンネル及びシールドトンネルの内壁面にコンンクリートを覆工するために使用されるセントルの開口部１０に、生コン注入外枠部材４０を固定し、該生コン注入外枠部材４０の内側にヒンジ３６を介して回動自在の開閉蓋体部材３０が配置されている。
【００１５】  図２に示すように、該開閉蓋体部材３０は油圧シリンダー又はターンバックル３４の動作によって回動し、生コンを注入するセントル１のセントル開口部１０を開閉できるように構成されている。
【００１６】  生コン注入外枠部材４０の生コン注入管固定プレート４１に生コン注入管５が固定されており、該生コン注入管５の先端部は扁平状に形成され、扁平状生コン注入管先端部５１は生コンが流動し易い扁平形状に構成されている。
【００１７】  開閉蓋体部材３０は、ヒンジ３６を介して、生コン注入外枠部材４０の内側で回動可能に構成されている。
【００１８】  生コン注入作業を中止する場合、油圧シリンダー又はターンバックル３４の動作で開閉蓋体部材３０を回動することによって、開閉蓋体部材３０の蓋体プレート３２がセントル開口部１０を閉鎖すると共に、開閉蓋体部材３０の遮断プレート３１が、扁平状生コン注入管先端部５１からの生コン注入を遮断するように構成されている。
【００１９】  本考案のセントルに取り付けられる生コン注入装置は、以上説明したような構成であるので、セントルと地山との間隙に生コンを注入する装置として有用な構成である。
【符号の説明】
【００２０】  １  セントル
２  地山
３  セントルと地山の間隙
５  生コン注入管
５１  扁平状生コン注入管先端部
８  生コン注入装置
１０  セントル開口部
３０  開閉蓋体部材
３１  遮断プレート
３２  蓋体プレート
３３  側面プレート
３４  油圧シリンダー又はターンバックル
３５  ブラケット
３６  ヒンジ
３７  ブラケット固定プレート
３８  伸縮ロッド
４０  生コン注入外枠部材
４１  生コン注入管固定プレート
【図１】
0003204884.tif 000003
【図２】
0003204884.tif 000004
【図３】
0003204884.tif 000005
【図４】
0003204884.tif 000006
【図５】
0003204884.tif 000007